(57)【特許請求の範囲】
【請求項１】
印刷機の回転支持胴（２）に装着されるブランケット（１）であって、
ブランケット（１）は、シート状のフィルムと繊維質の補強材の層とを含む多層構造を有すると共に、前記回転支持胴の軸方向に延びるスリット（６）に嵌め込まれる前縁（３）および後縁（４）の端部と、前縁（３）と後縁（４）の間の外側に印刷層（１７）が設けられた印刷部（１５）と、を備え、
前縁（３）および後縁（４）の端部は、印刷層（１７）が除去されて前記端部の厚さが印刷部（１５）の厚さより薄くされ、さらに、後縁（４）の厚さが、前縁（３）の厚さより薄く形成されており、
前縁（３）および後縁（４）の端部は、前記フィルムがポリエステルタイプあるいはポリカーボネートタイプからなり、前記繊維質の補強材の層がアラミドまたはポリエチレンの繊維で単一方向に強化されたポリマーマトリックスまたはポリマーからなることを特徴とする印刷機の回転支持胴に装着する印刷用ブランケット。
【請求項２】
前記ブランケット（１）には、前記回転支持胴（２）の外面と接触する側に保護層（１４）が備えられることを特徴とする請求項１に記載の印刷機の回転支持胴に装着する印刷用ブランケット。
【請求項３】
前記保護層（１４）は、前記前縁（３）および後縁（４）の端部では除去されていることを特徴とする請求項２に記載の印刷機の回転支持胴に装着する印刷用ブランケット。
【請求項４】
前記多層構造は、層として製作され、希望するサイズに切断され、端部に機械加工が施されて前記前縁（３）および後縁（４）が製作されることを特徴とする請求項１乃至３のいずれか１項に記載の印刷機の回転支持胴に装着する印刷用ブランケット。
【請求項５】
前記ブランケット（１）は、前記回転支持胴（２）の外面と接触する側に研削可能なポリマー材で製作される背面層を具備し、前記ブランケット（１）の厚さを均一にするために、この背面層を研削したことを特徴とする請求項１に記載の印刷機の回転支持胴に装着する印刷用ブランケット。
【発明の詳細な説明】
【技術分野】
【０００１】
本発明は、前縁および後縁エッジに配する端部が、支持胴の軸方向固定スリットに嵌まるように構成され、シート状で印刷機の回転支持胴に取り付けられる印刷用ブランケットに関する。
【背景技術】
【０００２】
エラストマー複合材で被覆し、支持胴に装着する用意のために両端を折ったスチールシートを備えるタイプのブランケットは既に知られている。このブランケットには、スチールシートとエラストマー複合材の結合という製造の難しさによる高コスト、接着の困難さおよびエラストマーとスチールの接合の脆弱さ、そしてスチールにしわが形成される傾向があるための操作の難しさ、圧延機の幅の制限による製品サイズに関する制限および寿命終了時の層分離による除去とリサイクルの困難さといった多くの不都合がある。さらに、スチールシートが機械の支持胴を機械的に腐食することが判明し、これは、例えば、ポリエステルフィルムで保護する必要があり、従って追加的な操作やコストが発生する。
【特許文献１】フランス共和国  特許申請  第２８０９６６７号
【特許文献２】フランス共和国  特許申請  第２８０９６６５号
【発明の開示】
【発明が解決しようとする課題】
【０００３】
本発明の目的は、上記に説明の不都合が改善されたブランケットを提供することにある。
【課題を解決するための手段】
【０００４】
上記の目的を達成するため、本発明による印刷機の回転支持胴に装着する印刷用ブランケットは、印刷機の回転支持胴（２）に装着されるブランケット（１）であって、ブランケット（１）は、シート状のフィルムと繊維質の補強材の層とを含む多層構造を有すると共に、前記回転支持胴の軸方向に延びるスリット（６）に嵌め込まれる前縁（３）および後縁（４）の端部と、前縁（３）と後縁（４）の間の外側に印刷層（１７）が設けられた印刷部（１５）と、を備え、前縁（３）および後縁（４）の端部は、印刷層（１７）が除去されて前記端部の厚さが印刷部（１５）の厚さより薄くされ、さらに、後縁（４）の厚さが、前縁（３）の厚さより薄く形成されており、前縁（３）および後縁（４）の端部は、前記フィルムがポリエステルタイプあるいはポリカーボネートタイプからなり、前記繊維質の補強材の層がアラミドまたはポリエチレンの繊維で単一方向に強化されたポリマーマトリックスまたはポリマーからなることを特徴とする。
【０００５】
前記ブランケット（１）には、前記回転支持胴（２）の外面と接触する側に保護層（１４）が備えられることを特徴とする。
【０００６】
前記保護層（１４）は、前記前縁（３）および後縁（４）の端部では除去されていることを特徴とする。
【０００７】
前記多層構造は、層として製作され、希望するサイズに切断され、端部に機械加工が施されて前記前縁（３）および後縁（４）が製作されることを特徴とする。
【０００８】
前記ブランケット（１）は、前記回転支持胴（２）の外面と接触する側に研削可能なポリマー材で製作される背面層を具備し、前記ブランケット（１）の厚さを均一にするために、この背面層を研削したことを特徴とする。
【０００９】
また、本発明の他の特徴によれば、ブランケットの固定部分は、ケースとなる圧縮可能な中間層を備える２つのフィルムを結合して形成する。
【００１０】
さらに、本発明の他の特徴によれば、ブランケットの固定部分は、ケースとなる２つのフィルム間にアラミドまたはポリエチレンタイプの単一方向補強材で強化した圧縮可能な中間層を入れて、２つのフィルムを結合して形成される。
【発明を実施するための最良の形態】
【００１１】
単に例として示す添付図で、以下に幾つかの実施形態を説明することにより、発明の他の目的、特徴、詳細および利点を明らかにする。
【００１２】
図１は、支持胴に装着したブランケットの断面図である。図２、３は、本発明によるブランケットの２通りの構成法を示している。図４〜１４は、本発明によるブランケットの幾つかの実施形態を示す断面図である。
【００１３】
図１に示すように、本発明は前縁３および後縁４エッジに配した端部を支持胴２に設けた軸方向のスリット６に嵌め込むことから解かるように、支持胴２に装着する符号１で示すブランケットである。前縁および後縁エッジは、一般的に構造が知られた装置８（詳細は省略）で、スリット６に固定する。本発明の理解には、図１に示すような角度の位置に部品９があり、部品９の空洞１０の放射方向に動作する加圧装置１１が、外端部１２によって端部をスリット６と対向する内面に押し付けることで、ブランケットの前縁および後縁エッジがスリット６に固定される。この装置８は、支持胴２内に形成したスリット６に向かって開く空洞１０に設けた回転円筒部品９を示せば十分である。
【００１４】
特に図２、３に示すように、本発明によるブランケットには、端部を薄くして前縁３および後縁４エッジを形成する多層構造があり、薄くしない部分は符号１５で示すブランケットの印刷部となる。ブランケットは、図２および図３の符号１５に示すように、多層構造の層から希望するサイズで切り取り、また端部に適切な機械加工を施し前縁３および後縁４エッジを作る。
【００１５】
図４〜図１２に本発明によるブランケットの複数の実施形態を示す。図２の符号１５に対応する部分には、端部が前縁および後縁エッジとなる層の上部に上外印刷層１７、布層１８および圧縮可能な層１９を具備することが分かる。図２および図３は、前縁および後縁エッジ層の上部で印刷面と対向する面に保護層１４を加えている。これは、支持胴と固定層を機械的に保護するとともに、間の空間を充填することができる。保護層１４は、圧縮可能とすることで、ブランケット１の衝撃吸収能力を高めることができる。保護層１４は、前縁３および後縁４エッジの部分では削除する。
【００１６】
前縁および後縁エッジの厚さと構造は、図２に従えば同じであるが、前縁３および後縁４エッジの形状は非対称とすることが有利である。原則的には前縁３エッジの方が加わる応力が強いので、一層厚くするか、もしくは薄くする後縁４エッジに対して知られている手段で補強することができ、これによって振動を発生する溝部を大幅に低減することができる。
【００１７】
ブランケットの多層構造は、フランス特許申請第２８０９６６７号および第２８０９６６５号に説明する方法で、熱網状化エラストマーまたはポリマーを主成分とし、従来の技術で製造される。
【００１８】
本発明のブランケットは、少なくとも印刷層、圧縮可能な層、および、支持胴へのブランケット固定用で少なくともポリマー層を介して固定するフィルム、ないしケース、あるいは塑性挙動および形状記憶があり複合構造を形成するポリマーマトリックスで強化された補強材とフィルム層が結合されたベースを具備する。これらの層の製造については、カレンダリングまたは押出し法ないしは異なる層のアセンブルが有効である。図４〜図１４を参照し、以下では特に本発明のブランケットの多層構造の製作例を説明する。
【００１９】
図４に示す多層のブランケットは、外側から内側に連続して、外側印刷層１７、布層１８、圧縮可能な層１９、ポリエステルタイプないしポリカーボネートのフィルム２０、アラミドタイプまたは単一方向ポリエチレンの補強材２１をポリマー充填マトリックスに埋め込んだ層２２を具備する。この層２２は、支持胴２の周面と接触する自由な内面を有し、希望するサイズに切断して厚さを均一にするため、多層構造を成形後に研削できるように研削可能な材料で製作される。
【００２０】
図５に示すブランケットの製作例は、図４の場合と同じように、外側から内側に連続して、外側印刷層１７、布層１８および圧縮可能な層１９、そしてポリエステルまたはポリカーボネートタイプのフィルム２４、アラミドタイプないしポリエステルの補強材２５で強化され、気泡質および／もしくは繊維を含有するポリマー充填層２６を具備する。ポリマー充填層２６の内面側は研削が可能である。
【００２１】
図６に示すブランケットの製作例は、外側印刷層１７、布層１８および圧縮可能な層１９、アラミドないしポリエステルタイプの単一方向補強材２９で強化され、気泡質および／もしくは繊維を含有するポリマーの充填層２８、さらにポリエステルまたはポリカーボネートタイプのフィルム３０を具備する。
【００２２】
図７のブランケットの製作例は、印刷層１７、布層１８、圧縮可能な層１９、第１のポリエステルないしポリカーボネートタイプのフィルム３２、アラミドまたはポリエステルタイプの単一方向補強材３３で強化され、気泡質もしくは／および繊維を含有するポリマー充填層３４、第２の外側に設けられたポリカーボネートタイプのフィルム３５を具備する。
【００２３】
図８に示すブランケットの製作例は、印刷層１７、布層１８および圧縮可能な層１９に続き、第１のポリエステルないしポリカーボネートタイプのフィルム３７、気泡質または非気泡質で繊維を含有するポリマー充填層３８、および第２のポリエステルあるいはポリカーボネートタイプのフィルム３９を具備する。
【００２４】
図９に示すブランケットの製作例は、印刷層１７、布層１８、圧縮可能な層１９、第１のポリエステルないしポリカーボネートタイプのフィルム４１、アラミドまたはポリエステルタイプの単一方向補強材で強化したポリマー充填層４３、第２のポリエステルまたはポリカーボネートタイプのフィルム４４を具備する。
【００２５】
図１０に示すブランケットの製作例は、上記の例と同じく、外側から印刷層１７、布層１８、圧縮可能な層１９を有し、この例に特有な構成の、第１のポリエステルないしポリカルボネートタイプのフィルム４６、アラミドまたはポリエステルタイプの単一方向補強材で強化された気泡質または非気泡質および／もしくは繊維を含有するポリマー充填層４８、第２のポリエステルあるいはポリカーボネートタイプのフィルム４９、および気泡質または非気泡質のポリマー充填層５０を具備する。
【００２６】
図１１は、上記の例と同じく、外側から印刷層１７、布層１８、圧縮可能な層１９を有し、次に、第１のポリエステルないしポリカーボネートタイプのフィルム５２、気泡質または非気泡質で繊維を含有するポリマー充填層５３、第２のポリエステルあるいはポリカーボネートタイプのフィルム５４、気泡質または非気泡質のポリマー充填層５５を具備する例で、このポリマー充填層は研削可能で内面を研削しブランケットの厚みを均一にすることができる。
【００２７】
図１２はブランケットの他の製作例で、外側に印刷層１７、布層１８、圧縮可能な層１９、アラミドまたはポリエステルからなる第１の単一方向補強材が、アラミドまたはポリエステルの第２の単一方向補強材５８と直交するように配設された層５７、第２の単一方向補強材５８を有し、気泡質または非気泡質および／もしくは繊維を含有するポリマー充填層５９、ポリエステルないしポリカーボネートタイプのフィルム６０、および、必要に応じて自由面を研削することができる気泡質または非気泡質のポリマー充填層６１を具備する。
【００２８】
図１３は、本発明のブランケットの他の製作例であり、印刷層１７、布層１８および圧縮可能な層１９の３つの層に続いて、第２の単一方向補強材に直交するように配設され、アラミドないしポリエステルからなる第１の単一方向補強材を有する層６３、ポリエステルまたはポリカーボネートタイプのフィルム６４、アラミドないしポリエステルの第２の単一方向補強材６５を有し、自由面が研削可能で、気泡質または非気泡質および／もしくは繊維を含有するポリマー充填層６６を具備する。
【００２９】
最後に、図１４は、本発明のブランケットの製作例で、印刷層１７で形成する印刷部下部に、布層１８と圧縮可能な層１９があり、その下に、符号６８で示すアラミドないしポリエステルの第１の単一方向補強材で強化され、気泡質または非気泡質もしくは／および繊維を含有するポリマー充填層６９、アラミドないしポリエステルの第２の単一方向補強材７０で強化され、気泡質または非気泡質もしくは／および繊維を含有するポリマー充填層７１を具備し、最後の層は必要に応じて研削することができる。
【００３０】
本発明のブランケットは、以上の製作例の説明のように、従来のブランケットの単一シートで果たす機能が、フィルムと繊維質の補強材を主成分とする多層構造によって達成され、また、従来のブランケットに固有の問題を排除することができる。従来の金属シートに合わせた厚さの単一フィルムでは、一方では機械的強さが不十分で、他方では形状を記憶する機能が無いので、装着が困難で実際の使用が不可であり、問題への十分な解決策とはなりがたい。機械的強さに関して、本発明のブランケットは、完全さを損ねる危険性が無く、数カ月間機能し、輪転機の作動の安全性も保証される。スチールシートと同等の厚さ、すなわち、０．２〜０．３ｍｍの薄いただ１枚のフィルムは、強度が十分でなく、より厚くしたフィルムは折り曲げ部分が脆弱で、割れる場合や破断する場合がある。本発明で提案する多層ブランケットは、薄いシートの折り曲げ能力を保持し、補強材料を付加したので機械的な安全性が高く、折り曲げ部分に構造的な弱さを生じることがなく、形状記憶を保持することができる。
【００３１】
本発明の異なる実施例に示すように、従来のスチールシートの代替として使用する場合、ブランケットの固定手段として使用される前縁および後縁エッジの部分には、以下を具備することができる。（１）ポリエステルあるいはポリカーボネートタイプのフィルム、これに結合されるアラミドまたは単一方向ポリエチレンで強化されたポリマーマトリックスまたは繊維で強化されたポリマーと同等品。（２）ポリエステルもしくはポリカーボネートタイプのフィルム、これに結合されるポリエステルまたはアラミドまたはポリアミドまたはポリエチレンの織布もしくは不織の補強材、または、金属で強化されたポリマーマトリックス。（３）ケースとなるポリマー中間層を備えた同質または異質の２つのフィルムの結合。（４）アラミドまたはポリエチレンないし繊維からなる単一方向補強材で強化したポリマー中間層を備えた同質または異質の２つのフィルムの結合。（５）ケースとなる圧縮可能な中間層を備えた２つのフィルムの結合。（６）ケースとなるアラミドまたはポリエチレンタイプの単一方向補強材で強化された圧縮可能な中間層を備えた２つのフィルムの結合。層の順序は不同であり、最適化のために選択が可能である。支持胴と固定層を機械的に保護し、必要な場合空隙を塞ぐために、印刷面と対向する面に保護層を追加することができる。補強材は、好ましくは２つのフィルム間に配置し、ポリマーマトリックスで強化する。
【００３２】
熱した状態でブランケットを肘形に曲げて成形をしやすくし、曲げて冷却した後ブランケットの形状記憶を保持することが好ましい。既にオフセットプレートの曲げに使用されている従来の機械でも肘形に曲げることができる。この機械では、前縁および後縁エッジを肘形に曲げたブランケットが、連続して設けたスリットに入り機械的なストッパーまで行く。この機械は作業者が定位置に保持したブランケットを自動的に肘形に曲げる。前縁エッジあるいは後縁エッジかにより２つのタイプの肘形曲げがある。
【００３３】
さらに、充填ポリマーあるいは本発明で使用するポリマーマトリックスの有効なガラス遷移温度は、常温以上で、端部の熱間肘形曲げの場合に形状記憶を助けることに注意する。図２に示すように、前縁および後縁エッジの形状を非対称にするのが好ましい。より強い応力を受ける前縁エッジは、より厚くして薄い後縁エッジに対して従来の手段で補強してもよい。この目的は振動を発生する非印刷溝部分を大幅に低減することである。
【００３４】
本発明のブランケットの全体厚さは、一例として、１．００〜３．３０ｍｍ、フィルムの厚さは５０〜２５０ミクロン、結合ポリマー層の厚さは０．１０〜０．５ｍｍ、そして本発明による固定部位の厚さは０．２５〜０．７０ｍｍである。
【００３５】
材質に関しては、フィルムはポリエステル、ポリブチレンテレフタレート（ＰＢＴ）、ポリカーボネートおよびポリプロピレンタイプでよい。ポリマーとしては、ポリウレタン（ＴＰＵ）、ポリエステル、ポリエチレン、押出しエラストマー、短い繊維で補強した押出しエラストマーあるいはポリアミドのような熱可塑性材料を使用するのが有利である。繊維に関しては、ポリエステル、アラミド、ポリアミド、ポリエチレン、ガラス、炭素またはスチールの繊維を使用するのが有利である。ブランケットの補強された圧縮可能な層では、ポリマー技術による従来のゴムを使用するのが有利である。
【産業上の利用可能性】
【００３６】
本発明は、印刷機の回転支持胴に取り付けられるシート状の印刷用ブランケットに好適である。
【図面の簡単な説明】
【００３７】
【図１】本発明によるブランケットが支持胴に装着された断面図である。
【図２】本発明によるブランケットの端部を含む断面図である。
【図３】本発明によるブランケットの端部を含む断面図である。
【図４】本発明によるブランケットの部分断面図である。（製作例１）
【図５】本発明によるブランケットの部分断面図である。（製作例２）
【図６】本発明によるブランケットの部分断面図である。（製作例３）
【図７】本発明によるブランケットの部分断面図である。（製作例４）
【図８】本発明によるブランケットの部分断面図である。（製作例５）
【図９】本発明によるブランケットの部分断面図である。（製作例６）
【図１０】本発明によるブランケットの部分断面図である。（製作例７）
【図１１】本発明によるブランケットの部分断面図である。（製作例８）
【図１２】本発明によるブランケットの部分断面図である。（製作例９）
【図１３】本発明によるブランケットの部分断面図である。（製作例１０）
【図１４】本発明によるブランケットの部分断面図である。（製作例１１）
【符号の説明】
【００３８】
１    ブランケット
２    支持胴
３    前縁
４    後縁
６    スリット
１１    加圧装置
１４    保護層
１５    印刷部
１７    印刷層
１８    布層
１９    圧縮可能な層
２０    フィルム
２１    補強材
２２    ポリマー充填層
２４    フィルム
２５    補強材
２６    ポリマー充填層
２８    ポリマー充填層
２９    補強材
３０    フィルム
３２    フィルム
３３    補強材
３４    ポリマー充填層
３５    フィルム
３７    フィルム
３８    ポリマー充填層
３９    フィルム
【図１】
0005391441.tif 000002
【図２】
0005391441.tif 000003
【図３】
0005391441.tif 000004
【図４】
0005391441.tif 000005
【図５】
0005391441.tif 000006
【図６】
0005391441.tif 000007
【図７】
0005391441.tif 000008
【図８】
0005391441.tif 000009
【図９】
0005391441.tif 000010
【図１０】
0005391441.tif 000011
【図１１】
0005391441.tif 000012
【図１２】
0005391441.tif 000013
【図１３】
0005391441.tif 000014
【図１４】
0005391441.tif 000015